【手続補正書】
【提出日】平成15年7月14日(2003.7.14)
【手続補正１】
【補正対象書類名】明細書
【補正対象項目名】特許請求の範囲
【補正方法】変更
【補正の内容】
【特許請求の範囲】
【請求項１】
画像信号が供給される複数のデータ線と、走査信号が供給される複数の走査線と、前記複数のデータ線及び前記複数の走査線に接続された複数のスイッチング手段と、前記スイッチング手段に接続された画素電極とを備える電気光学装置の駆動回路であって、
前記画像信号と走査信号を夫々前記データ線と走査線に供給するために制御信号を供給するシフトレジスタを有するデータ線駆動手段と走査線駆動手段の少なくとも一方を備え、
前記データ線駆動手段または走査線駆動手段の少なくとも一方の前記シフトレジスタは、前記転送信号の転送方向が、前記データ線または走査線の配列方向及び当該配列方向と逆方向の双方向である双方向性シフトレジスタであり、
前記双方向性シフトレジスタの各段は、各段の入力信号の転送方向を方向制御信号に基づいて所定の一方向に制限する転送方向制御部と、クロック信号に同期して前記入力信号に基づき前記転送信号を生成する転送信号生成部とを備えることを特徴とする電気光学装置の駆動回路。
【請求項２】
前記転送方向制御部と転送信号生成部に、入力信号の論理値に拘わらず入力信号と等しい極性の出力信号を得る論理のゲート手段を含むことを特徴とする請求項１に記載の電気光学装置の駆動回路。
【請求項３】
前記転送信号生成部は、クロック信号に同期して入力信号を転送信号として取り込む信号取込部と、当該取り込み信号の帰還を所定期間行う帰還部とを備えていることを特徴とする請求項１乃至２のいずれか一項に記載の電気光学装置の駆動回路。
【請求項４】
前記転送方向制御部と転送信号生成部は、前記ゲート手段として、少なくともトランスミッションゲートを備えていることを特徴とする請求項１乃至請求項３のいずれか一項に記載の電気光学装置の駆動回路。
【請求項５】
前記転送方向制御部と転送信号生成部は、前記ゲート手段として、Ｐチャネル型薄膜トランジスタとＮチャネル型薄膜トランジスタの少なくともいずれか一方を備えていることを特徴とする請求項１乃至請求項４のいずれか一項に記載の電気光学装置の駆動回路。
【請求項６】
前記双方向性シフトレジスタの各段は前記複数の走査線とそれぞれ対応し、前記各段から画素領域までのパターン長さは等しいことを特徴とする請求項１に記載の電気光学装置の駆動回路。
【請求項７】
前記走査線駆動手段は前記走査線の両端に設けられ、各々の走査線駆動手段は双方向性シフトレジスタであることを特徴とする請求項１に記載の電気光学装置の駆動回路。
【請求項８】
請求項１乃至請求項７のいずれか一項に記載の電気光学装置の駆動回路を備えたことを特徴とする電気光学装置。
【請求項９】
請求項８の電気光学装置を備えたことを特徴とする電子機器。
【手続補正２】
【補正対象書類名】明細書
【補正対象項目名】００１３
【補正方法】変更
【補正の内容】
【００１３】
【課題を解決するための手段】
本発明の電気光学装置の駆動回路は前記課題を解決するために、画像信号が供給される複数のデータ線と、走査信号が供給される複数の走査線と、前記複数のデータ線及び前記複数の走査線に接続された複数のスイッチング手段と、前記スイッチング手段に接続された画素電極とを備える電気光学装置の駆動回路であって、
前記画像信号と走査信号を夫々前記データ線と走査線に供給するために制御信号を供給するシフトレジスタを有するデータ線駆動手段と走査線駆動手段の少なくとも一方を備え、
前記データ線駆動手段または走査線駆動手段の少なくとも一方の前記シフトレジスタは、前記転送信号の転送方向が、前記データ線または走査線の配列方向及び当該配列方向と逆方向の双方向である双方向性シフトレジスタであり、
前記双方向性シフトレジスタの各段は、各段の入力信号の転送方向を方向制御信号に基づいて所定の一方向に制限する転送方向制御部と、クロック信号に同期して前記入力信号に基づき前記転送信号を生成する転送信号生成部とを備えることを特徴とする。


【手続補正３】
【補正対象書類名】明細書
【補正対象項目名】００１４
【補正方法】変更
【補正の内容】
【００１４】
本発明に記載の電気光学装置の駆動回路によれば、データ線駆動手段または走査線駆動手段の少なくとも一方に双方向性シフトレジスタが備えられている場合には、外部から方向制御信号が双方向性シフトレジスタに入力されると、双方向性シフトレジスタの各段に設けられた転送方向制御部は、入力信号の転送方向を、順方向（例えば、左から右への方向）又は逆方向（例えば、右から左への方向）の何れかの一方向に制限する。この状態で、双方向性シフトレジスタに入力信号が供給され、更に所定周期のクロック信号が供給されると、双方向性シフトレジスタの初段において、転送信号生成部により前記クロック信号に同期して前記入力信号に基づく転送信号が生成され、当該転送信号は双方向性シフトレジスタの次段に出力される。次に、双方向性シフトレジスタの次段においては、前記クロック信号に同期して前記初段とは異なるタイミングで、前記初段から出力された転送信号に基づいて、次段における転送信号が生成される。以下、各段で生成された転送信号は次々に次段へ転送される。


【手続補正４】
【補正対象書類名】明細書
【補正対象項目名】００１５
【補正方法】変更
【補正の内容】
【００１５】
そして、データ線駆動手段においては、以上のように転送される転送信号に基づいて、画像信号がデータ線或いは複数のデータ線群に対して順次供給され、走査線駆動手段においては、以上のように転送される転送信号に基づいて、走査信号が走査線に対して順次供給されることができる
また、本発明の電気光学装置の駆動回路は、前記転送方向制御部と転送信号生成部に、入力信号の論理値に拘わらず入力信号と等しい極性の出力信号を得る論理のゲート手段を含むものでもよい。


【手続補正５】
【補正対象書類名】明細書
【補正対象項目名】００１６
【補正方法】変更
【補正の内容】
【００１６】
この電気光学装置の駆動回路によれば、双方向シフトレジスタの各段の占有面積を小さくすることができる。即ち、データ線駆動手段または走査線駆動手段の少なくとも何れか一方は、転送信号を双方向性シフトレジスタの初段から後段に向けて順次転送することにより、各配線の駆動を行う手段であり、双方向性シフトレジスタの各段の夫々にデータ線または走査線が接続されるのが基本的な構成となる。従って、双方向性シフトレジスタの各段の占有面積及び配列ピッチは、画素ピッチの設定に影響を与えることになる。しかしながら、データ線駆動手段または走査線駆動手段の少なくとも一方の双方向性シフトレジスタは、各段の前記転送方向制御部と転送信号生成部に、入力信号の論理値に拘わらず入力信号と等しい極性の出力信号を得る論理のゲート手段を含むので、転送方向制御部と転送信号生成部を基板上に形成する際には、当該ゲート手段に、入力信号線、出力信号線、上述したクロック信号線、及び方向制御信号線を接続すれば足り、これらの信号線以外に正電源供給線及び負電源供給線を接続する必要はない。従って、従来のように正電源供給線及び負電源供給線を必要とした場合に比べて、前記転送方向制御部と転送信号生成部の占有面積を減少することができ、双方向性シフトレジスタの各段の配列ピッチを減少させることができる。その結果、データ線または走査線の配列ピッチを小さくすることが可能となり、画素ピッチの微細化が実現できる。


【手続補正６】
【補正対象書類名】明細書
【補正対象項目名】００１７
【補正方法】変更
【補正の内容】
【００１７】
また、本発明の電気光学装置の駆動回路は、前記転送信号生成部は、クロック信号に同期して入力信号を転送信号として取り込む信号取込部と、当該取り込み信号の帰還を所定期間行う帰還部とを備えるとよい。


【手続補正７】
【補正対象書類名】明細書
【補正対象項目名】００１８
【補正方法】変更
【補正の内容】
【００１８】
この電気光学装置の駆動回路によれば、双方向性シフトレジスタの転送信号生成部に入力される信号は、信号取込部によりクロック信号に同期して転送信号として取り込まれ、この取り込まれたタイミングで各段の出力信号、即ち転送信号が有効になる。一方、この転送信号は、帰還部において帰還され、所定期間同じ電圧レベルを保つ信号となる。このように、双方向性シフトレジスタの各段において各段夫々のタイミングで転送信号が有効となり、各段において同一の所定期間で転送信号の電圧レベルが保たれるため、初段において生成された転送信号が後段に向かって次々に転送されることになる。また、各段の転送信号生成部には、このように信号取込部と帰還部が備えられるが、これらは入力信号の論理値に拘わらず入力信号と等しい極性の出力信号を得る論理のゲート手段を含むので、これらの信号取込部と帰還部においても信号線以外に正電源供給線及び負電源供給線を接続する必要はなく、双方向性シフトレジスタの各段の占有面積を従来に比べて減少させることができる。従って、請求項３に記載の発明によれば、画素ピッチの微細化を実現しつつ、適切な転送信号の転送により電気光学装置を良好に駆動可能な電気光学装置の駆動回路を提供することができる。


【手続補正８】
【補正対象書類名】明細書
【補正対象項目名】００１９
【補正方法】変更
【補正の内容】
【００１９】
また、本発明の電気光学装置の駆動回路は、前記転送方向制御部と転送信号生成部は、前記ゲート手段として、少なくともトランスミッションゲートを備えるとよい。


【手続補正９】
【補正対象書類名】明細書
【補正対象項目名】００２０
【補正方法】変更
【補正の内容】
【００２０】
この電気光学装置の駆動回路によれば、トランスミッションゲートは、ゲート端子に入力される信号の極性が正の時に導通状態になるＮチャネル型ＴＦＴと、ゲート端子に入力される信号の極性が負の時に導通状態になるＰチャネル型ＴＦＴとを備えている。そして、前記転送方向制御部には、Ｎチャネル側のゲート端子に方向制御信号が入力され、Ｐチャネル側のゲート端子にこの信号の反転信号が入力されるトランスミッションゲートと、Ｐチャネル側のゲート端子に方向制御信号が入力され、Ｎチャネル側のゲート端子にこの信号の反転信号が入力されるトランスミッションゲートとの双方が備えられる。従って、方向制御信号の極性に応じて何れか一方のトランスミッションゲートが導通状態となり、転送信号の転送方向が何れか一方の方向に制限されることになる。また、前記転送信号生成部においては、Ｎチャネル側のゲート端子にクロック信号が入力され、Ｐチャネル側のゲート端子にこの信号の反転信号が入力されるトランスミッションゲートと、Ｐチャネル側のゲート端子にクロック信号が入力され、Ｎチャネル側のゲート端子にこの信号の反転信号が入力されるトランスミッションゲートとが接続され、隣り合う転送信号生成部において、前記各トランスミッションゲートの配列順序が互いに逆になるように構成される。従って、前段の転送信号生成部においてクロック信号の立ち上がりでトランスミッションゲートが導通状態となって転送信号が取り込まれたとすると、次段の転送信号生成部においてはクロック信号の立ち下がりでトランスミッションゲートが導通状態となって転送信号が取り込まれるので、各段の転送信号生成部においては、クロック信号の半周期分ずれたタイミングで前段の転送信号が取り込まれることになり、次々に転送信号が転送されることになる。


【手続補正１０】
【補正対象書類名】明細書
【補正対象項目名】００２２
【補正方法】変更
【補正の内容】
【００２２】
また、本発明の液晶パネルの駆動装置は、前記転送方向制御部と転送信号生成部は、前記ゲート手段として、Ｐチャネル型ＴＦＴとＮチャネル型ＴＦＴの少なくともいずれか一方を備えるとよい。


【手続補正１１】
【補正対象書類名】明細書
【補正対象項目名】００２３
【補正方法】変更
【補正の内容】
【００２３】
この電気光学装置の駆動回路によれば、前記転送方向制御部には、ゲート端子に方向制御信号が入力されるＰチャネル型ＴＦＴとＮチャネル型ＴＦＴのいずれか一方の導電型からなる片チャネル型ＴＦＴと、ゲート端子に該方向制御信号の反転信号が入力される片チャネル型ＴＦＴが備えられる。従って、方向制御信号の極性に応じて何れか一方の片チャネル型ＴＦＴが導通状態となり、転送信号の転送方向が何れか一方の方向に制限されることになる。また、前記転送信号生成部においては、ゲート端子にクロック信号が入力される片チャネル型ＴＦＴと、ゲート端子に該クロック信号の反転信号が入力される片チャネル型ＴＦＴとが接続され、隣り合う転送信号生成部において、前記各片チャネル型ＴＦＴの配列順序が互いに逆になるように構成される。従って、前段の転送信号生成部においてクロック信号の立ち上がりで片チャネル型ＴＦＴが導通状態となって転送信号が取り込まれたとすると、次段の転送信号生成部においてはクロック信号の立ち下がりで片チャネル型ＴＦＴが導通状態となって転送信号が取り込まれるので、各段の転送信号生成部においては、クロック信号の半周期分ずれたタイミングで前段の転送信号が取り込まれることになり、次々に転送信号が転送されることになる。


【手続補正１２】
【補正対象書類名】明細書
【補正対象項目名】００２５
【補正方法】変更
【補正の内容】
【００２５】
また、本発明の液晶パネルの駆動装置は、前記双方向性シフトレジスタの各段は前記複数の走査線とそれぞれ対応し、前記各段から画素領域までのパターン長さを等しくするとよい。
また、本発明の液晶パネルの駆動装置は、前記走査線駆動手段は前記走査線の両端に設けられ、各々の走査線駆動手段は双方向性シフトレジスタであるとよい。
また、本発明の電気光学装置は、上記電気光学装置の駆動回路を備えたことを特徴とする。


【手続補正１３】
【補正対象書類名】明細書
【補正対象項目名】００２６
【補正方法】変更
【補正の内容】
【００２６】
この電気光学装置によれば、前記電気光学装置の駆動装置が備えられており、当該駆動回路には方向制御信号に応じて転送方向が順方向又は逆方向の何れか一方に制限される双方向性シフトレジスタを有するデータ線駆動手段や走査線駆動手段が備えられているので、表示画面上の走査方向が、方向制御信号に応じて少なくとも上下、或いは左右に反転される。また、データ線駆動手段と走査線駆動手段の少なくとも一方の双方向性シフトレジスタは、前記転送方向制御部と転送信号生成部に、入力信号の論理値に拘わらず入力信号と等しい極性の出力信号を得る論理のゲート手段を含むので、電気光学装置における前記駆動回路の占有面積を減少させることができ、微細な画素を有する液晶パネルとの組み合わせにより、小型の電気光学装置を提供する。


【手続補正１４】
【補正対象書類名】明細書
【補正対象項目名】００２７
【補正方法】変更
【補正の内容】
【００２７】
また、本発明の電子機器は、上記電気光学装置を備えたことを特徴とする。


【手続補正１５】
【補正対象書類名】明細書
【補正対象項目名】００２８
【補正方法】変更
【補正の内容】
【００２８】
この電子機器によれば、電子機器は、上述した本願発明の電気光学装置を備えており、表示画面上の走査方向を少なくとも上下、或いは左右に簡単に反転できる電気光学装置により、各種の画像表示が行われる。また、電気光学装置の画素の微細化が可能なので、高精細な画像表示が行われる。更に、電気光学装置の小型化が可能なので、電子機器の小型化を実現することができる。